(57)【要約】【課題】再点火により速やかに燃焼を開始させることができる燃焼装置を提供する。【解決手段】燃焼装置は、燃焼部と、燃焼部への燃料の供給または当該供給の停止を切替るための切替部と、燃焼部に点火するための点火部（７７）と、燃焼部の燃焼を検知するための検知部（７０）と、燃焼装置を制御するための制御部と、を備える。制御部は、点火部による点火の開始から第１時間内に燃焼が検知されないときは、切替部により当該燃焼部に燃料を供給しながら、当該点火を停止した後に再点火するよう点火部を制御する。【選択図】図１
2017036891.tif 000002
【特許請求の範囲】
【請求項１】
燃焼装置であって、
燃焼部と、
前記燃焼部への燃料の供給または当該供給の停止を切替るための切替部と、
前記燃焼部に点火するための点火部と、
前記燃焼部の燃焼を検知するための検知部と、
前記燃焼装置を制御するための制御部と、を備え、
前記制御部は、
前記点火部による点火の開始から第１時間内に前記燃焼が検知されないときは、前記切替部により当該燃焼部に燃料を供給しながら、当該点火を停止した後に再点火するよう前記点火部を制御する、燃焼装置。
【請求項２】
前記点火部は、
点火プラグと、
前記点火プラグに、可聴域周波数よりも高い予め定められた周波数の放電電圧を印加する電圧印加部と、を含み、
前記点火部は、
前記点火を停止するとき、前記点火プラグへの前記放電電圧の印加を禁止する、請求項１に記載の燃焼装置。
【請求項３】
前記制御部は、
前記燃焼が検知されない場合は、前記点火を停止した後に再点火する再点火処理を繰返すように前記点火部を制御する、請求項１または２に記載の燃焼装置。
【請求項４】
前記制御部は、
前記燃焼が検知されない場合は、前記再点火処理を、予め定められた回数繰返すように前記点火部を制御する、請求項３に記載の燃焼装置。
【請求項５】
前記制御部は、
前記燃焼が検知されない場合は、前記点火の開始から予め定められた第２時間まで前記再点火処理を繰返すように前記点火部を制御する、請求項３に記載の燃焼装置。
【請求項６】
前記制御部は、さらに、
前記再点火した場合に、前記燃焼が検知されないときは、前記燃焼部への燃料の供給を停止するように前記切替部を制御する、請求項１から５のいずれか１項に記載の燃焼装置。
【請求項７】
前記燃焼部を収容する燃焼室と、
燃焼室内へ送風するファンと、をさらに備え、
前記制御部は、
前記点火を停止するとき、前記ファンを駆動する、請求項１から６のいずれか１項に記載の燃焼装置。
【請求項８】
請求項１から７のいずれか１項に記載の燃焼装置を備える、ファンヒータ。
【発明の詳細な説明】
【技術分野】
【０００１】
本発明は燃焼装置およびファンヒータに関し、特に、バーナの再点火を実施する燃焼装置およびファンヒータに関する。
【背景技術】
【０００２】
バーナの再点火を実施する燃焼装置として、例えば、特許文献１（特開平０５−２３１６３８号公報）に開示される装置が提案されている。
【先行技術文献】
【特許文献】
【０００３】
【特許文献１】特開平０５−２３１６３８号公報
【発明の概要】
【発明が解決しようとする課題】
【０００４】
従来、ガスファンヒータには、バーナヘの点火に静音イグナイタが用いられることがある。静音イグナイタは、点火電極に印加する電圧を、人の可聴領域の上限（一般に２０ｋＨｚ程度）を超える帯域の高周波電圧とすることで、点火時のスパーク音が人には聞こえないようにしたものである。
【０００５】
このようなガスファンヒータでは、点火電極または電極取付け部の寸法誤差等に依るリークが原因となって、スパークが設計箇所以外の箇所で発生するような異常放電現象が生じることがある。この場合は、バーナに点火することができない。
【０００６】
従来のガスファンヒータの多くは、上述の点火不良時には、ガスを放出したまま所定時間が経過したときに安全動作を実施し、再点火を実施する構成とはなっていない。そのため、速やかに暖房したいとのユーザの要望に応えることができない。
【０００７】
特許文献１では、着火を検知しない場合に再度点火動作を実施するが、燃料の供給を一旦停止して再点火する構成であるために、燃料の供給切替えと再点火のタイミング調整を行う必要がある。したがって、タイミング調整に時間がかかり、上記に述べたユーザ要望に応えることはできない。
【０００８】
それゆえに、本開示のある局面の目的は、再点火により速やかに燃焼を開始させることができる燃焼装置およびファンヒータを提供することである。
【０００９】
この発明の上記および他の目的、特徴、局面および利点は、添付の図面と関連して理解されるこの発明に関する次の詳細な説明から明らかとなるであろう。
【課題を解決するための手段】
【００１０】
本開示のある局面に従う燃焼装置は、燃焼部と、燃焼部への燃料の供給または当該供給の停止を切替るための切替部と、燃焼部に点火するための点火部と、燃焼部の燃焼を検知するための検知部と、燃焼装置を制御するための制御部と、を備える。制御部は、点火部による点火の開始から第１時間内に燃焼が検知されないときは、切替部により当該燃焼部に燃料を供給しながら、当該点火を停止した後に再点火するよう点火部を制御する。
【００１１】
好ましくは、点火部は、点火プラグと、点火プラグに、可聴域周波数よりも高い予め定められた周波数の放電電圧を印加する電圧印加部と、を含み、点火部は、点火を停止するとき、点火プラグへの放電電圧の印加を禁止する。
【００１２】
好ましくは、制御部は、燃焼が検知されない場合は、点火を停止した後に再点火する再点火処理を繰返すように点火部を制御する。
【００１３】
好ましくは、制御部は、燃焼が検知されない場合は、再点火処理を、予め定められた回数繰返すように点火部を制御する。
【００１４】
好ましくは、制御部は、燃焼が検知されない場合は、点火の開始から予め定められた第２時間まで再点火処理を繰返すように点火部を制御する。
【００１５】
好ましくは、制御部は、さらに、再点火した場合に、燃焼が検知されないときは、燃焼部への燃料の供給を停止するように切替部を制御する。
【００１６】
好ましくは、燃焼装置は、燃焼部を収容する燃焼室と、燃焼室内へ送風するファンと、をさらに備え、制御部は、点火を停止するとき、ファンを駆動する。
【００１７】
本開示の他の局面では、上記に述べた燃焼装置を備えるファンヒータが提供される。
【図面の簡単な説明】
【００１８】
【図１】本実施の形態に係る燃焼装置の構成を概略的に示す図である。
【図２】図１のマイコン１０の構成を概略的に示す図である。
【図３】本実施の形態に係る通常着火時の燃焼動作を説明するためのタイミングチャートである。
【図４】本実施の形態に係る点火の処理を概略的に示すフローチャートである。
【図５】本実施の形態に係る再点火時のタイミングチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［技術思想］
本実施の形態に係る技術思想は、燃焼部に点火される場合に、点火の開始から第１時間内に燃焼が検知されないときは、当該燃焼部に燃料を供給しながら、当該点火を停止し、その後、再点火するように点火部を制御する。これにより、点火が不良の場合でも、燃料を供給しながら点火の停止と再点火が行われて、速やかに燃焼を開始させることが可能となる。
【００２１】
まず、本発明の実施の形態に係る燃焼装置を説明する。燃焼装置は、ガスを燃料とするが、燃料はガスに限定されない。
【００２２】
（ハードウェア構成）
図１は、本発明の実施の形態に係る燃焼装置の構成を概略的に示す図である。本実施の形態では燃焼装置の一例として、暖房装置であるガスファンヒータを説明する。公知のように、ガスファンヒータは、燃料であるガスの燃焼熱によって得られた温風を出力することにより温風暖房を行なうものである。
【００２３】
図１を参照して、ガスファンヒータ５０は、外装ケース６６、天板７４および底板７５で機器の外装を構成する。外装ケース６６は、温風吹出口６５および空気吸入口６７を有する。空気吸入口６７にはエアーフィルタ６８が設けられている。空気吸入口６７の近傍には、室温検出器６９が設けられる。電源プラグ８６が図示しないコンセントに挿入されると、ガスファンヒータ５０の各部に電力が供給される。
【００２４】
外装ケース６６の内部には、燃焼室６２、燃焼室６２の内部に送風するための送風ファン６３およびファンモータ６４が設けられる。送風ファン６３に関連して、駆動用のファンモータ６４およびファンモータ６４の回転数検出器８０が設けられている。燃焼室６２の内部には、燃焼部を構成するガスバーナ６１、ガスバーナ６１に点火するための点火部７７、およびガスバーナ６１の燃焼を検知するための検知部７０が設けられる。検知部７０は、燃焼炎を検知するための熱電対等からなる。
【００２５】
ガスバーナ６１では、ガスバーナ６１に供給される燃料ガスと送風ファン６３により吸い込まれた空気とが混合された混合ガスに、点火部７７からのスパーク（電気火花）が着火する。これにより、点火部７７によるガスバーナ６１への点火が実現する。混合ガスの燃焼により生じた燃焼熱は、送風ファン６３の送風により燃焼室２２内を対流する。燃焼室６２の上面および前面に設けられた蓋板７８、およびファンケース７９により、対流する温風を、燃焼室６２から温風吹出口６５に導く送風路が構成される。
【００２６】
点火部７７は、点火プラグ（図示せず）とイグナイタ（図示せず）を含む。イグナイタは、誘導放電による高周波電圧発生装置（図示せず）を有する。高周波電圧発生装置から点火プラグへ印加される放電電圧は、人の可聴域周波数（一般に２０ｋＨｚ程度）を超える予め定められた周波数の電圧である。高周波電圧発生装置は、昇圧トランス（図示せず）およびスイッチング回路（図示せず）を有する。点火部７７は、ＣＰＵ１１から点火の開始（または再開）が指示されたとき、点火プラグに高周波の放電電圧が印加されるように、スイッチング回路を制御する。
【００２７】
点火プラグに高周波電圧が印加されると、点火プラグの電極間のギャップを中心とした領域において生じる放電現象によってスパーク（電気火花）が発生する。この火花が、ガスバーナ６１の混合ガスに着火し、ガスバーナ６１は点火する。
【００２８】
また、点火を停止するとき、点火部７７は、ＣＰＵ１１からの指示に基づき、スイッチング回路のスイッチング動作を停止することにより、点火プラグへの放電電圧の印加を禁止する。したがって、点火の停止時には、上記の放電現象は発生しなくなる。
【００２９】
また、外装ケース６６の背面下部には、燃料ガスを内部に供給するためのガス接続口８１が設けられる。燃料ガスは、ガス接続口８１からガス配管８４を経由してガスバーナ６１へ供給される。ガス配管８４には、燃料の供給／遮断をするために開閉制御される電磁弁４５、およびガス圧（すなわち、単位時間あたりのガス量）を調整するための比例弁２５が設けられる。電磁弁４５はいわゆるガスの元栓に相当し、比例弁２５は、供給される電流により開度が可変に制御されて、電磁弁４５からガスバーナ６１へのガス供給量を調整する。
【００３０】
天板７４の前方部には、操作表示部１６が設けられる。操作表示部１６は、運転の開始／停止の指示等を入力するために操作される各種スイッチからなる操作部１４（後述する）および各種情報を出力するための液晶等の表示部１５（後述する）を含む。
【００３１】
ガスファンヒータ５０は、さらに、上述の各部を制御するためにマイクロコンピュータ（以下、マイコンと略す）１０を備える。マイコン１０は、ガスファンヒータ５０を集中的に制御および監視するための制御部の一実施例である。図２は、図１のマイコン１０の構成を概略的に示す図である。図２を参照して、マイコン１０は、ＣＰＵ（Central  Processing  Unit）１１、プログラムおよびデータを記憶するための揮発性および不揮発性の記憶デバイスからなるメモリ部１２、ガスファンヒータ５０内の他の各部と信号を入出力するためのインターフェイス部１３、およびタイマ１７を備える。ＣＰＵ１１からの表示用データは操作表示部１６に出力されて、当該表示用データに基づき表示部１５が駆動されて、情報が表示される。またＣＰＵ１１は、操作部１４におけるガスファンヒータ５０に対するユーザの操作内容を受付ける。
【００３２】
（着火時のタイミングチャート）
図３は、本実施の形態に係る通常着火時の燃焼動作を説明するためのタイミングチャートである。図３のタイミングチャートの横軸は、経過時間を示し、縦軸は信号Ａ１〜Ａ５の各信号レベルを示す。図中、信号Ａ１は、ファンモータ６４の回転数を示し、信号Ａ２は、比例弁２５への供給電流を示す。また、信号Ａ３は、イグナイタの電圧を示す。信号Ａ４は、電磁弁４５への供給電流を示す。信号Ａ５は、検知部７０からの出力電圧を示す。
【００３３】
図３を参照して、ＣＰＵ１１は、操作部１４の運転スイッチ（図示せず）がＯＮ操作されると（時刻Ｔ１）、運転開始するために（ｉ）ファンモータ６４を起動する。これにより送風ファン６３による送風が開始される。（ｉｉ）ＣＰＵ１１は、回転数検出器８０の出力に基づき、ファンモータ６４の回転が正常であると判断すると、比例弁２５を強制的に開けるために、比例弁２５に比較的大きな電流を流す（時刻Ｔ２）。これにより、比例弁２５が固着した場合であっても、弁を開けることができる。
【００３４】
ＣＰＵ１１は、（ｉｉｉ）比例弁２５への電流を遮断する。これにより、比例弁２５は閉じる。これと同時に、点火開始するために（すなわち、点火プラグに放電電圧を印加するように）点火部７７を制御開始する（時刻Ｔ３）。これにより、点火プラグにおいてスパークが発生する。（ｉｖ）ＣＰＵ１１は、予め定められた時間の遅延後（時刻Ｔ４）、弁を開けるように電磁弁４５を制御する。（ｖ）さらに、予め定められた時間の遅延後（時刻Ｔ５）、ＣＰＵ１１は、予め定められた着火開度に弁を開けるために比例弁２５への供給電流を調整する。（ｖｉ）また、ＣＰＵ１１は、ガスバーナ６１に点火するように点火部７７を制御する。これにより、時刻Ｔ３から点火部７７を点火動作させている時間において、バーナ炎孔（図示せず）より吸い出された混合ガスに火花が着火し、検知部７０の出力電圧が上昇する。ＣＰＵ１１は、検知部７０の出力電圧が燃焼判定のための閥値（以下、着火閾値という）ＴＨを上回ったとき（時刻Ｔ６）、ガスバーナ６１が燃焼していると判断し、当該判断の結果に基づき、燃焼量が最大出力となるように比例弁２５とファンモータ６４を制御する。これにより、通常着火時の運転制御は終了する。
【００３５】
上記に述べた着火後は、燃焼運転が実施される。具体的には、ＣＰＵ１１は、室温検出器６９による検出温度が予め設定された温度となるように各部を制御する。具体的には、ＣＰＵ１１は、設定温度と、室温検出器６９によって検出された室温との差に応じて、ガスバーナ６１による目標発生熱量、すなわち、ガス燃焼量を設定する。ＣＰＵ１１は、設定されたガス燃焼量に応じて、比例弁２５の開度を制御する。これによりガスバーナ６１による燃焼量が可変に制御されて、目標とする熱量を有した温風が送出される。このように、電磁弁４５および比例弁２５は、燃焼部（ガスバーナ６１）への燃料の供給および当該供給の停止を切替るための「切替部」の一実施例に相当する。
【００３６】
ここで、点火部７７による点火時（図３の時刻Ｔ３〜Ｔ６に相当）において、ガスバーナ６１に点火できなかった場合、本実施の形態では、再点火処理が実施される。例えば、点火プラグの電極取付部の寸法誤差等に起因して、電極のギャップ間とは異なる異常個所で放電現象が生じた場合には、混合ガスに点火することができない。
【００３７】
そこで、本実施の形態では、点火部７７による点火の開始から予め定められた第１時間以内に燃焼（混合ガスへの着火）が検知されない、すなわち検知部７０の出力電圧が着火閾値ＴＨを超えない場合には、ＣＰＵ１１は、ガスバーナ６１から混合ガスを放出しながら、一旦、点火プラグへの電圧印加を停止するように、点火部７７を制御する。以下、これを「点火を停止する」という。その後、再度、点火するように点火部７７を制御する。これにより、最初の点火時に異常放電箇所で絶縁破壊が生じたとしても、一旦点火を停止する期間において当該絶縁破壊を解消し、その後、再点火することが可能となる。したがって、再点火時には、正常箇所において放電現象を発生させることが可能となり、ガスバーナ６１に点火することができる。なお、本実施の形態では、第１時間は１０秒とし、また一旦点火を停止する時間は１秒しているが、これら時間は例示でありこの値に限定されない。
【００３８】
（再点火の処理）
図４は、本実施の形態に係る点火の処理を概略的に示すフローチャートである。このフローチャートは、予めプログラムとしてメモリ部１２に格納される。ＣＰＵ１１は、メモリ部１２から当該プログラムを読出し、読出されたプログラムを実行する。図５は、本実施の形態に係る再点火時のタイミングチャートである。図４と図５を参照し、本実施の形態に係るガスバーナ６１への点火を、再点火の処理を主体に説明する。
【００３９】
図４を参照して、操作部１４の運転スイッチ（図示せず）がＯＮ操作されると、ＣＰＵ１１は、ガスバーナ６１に点火するように点火部７７を制御する（ステップＳ１）。ステップＳ１では、図３に示した時刻Ｔ１〜Ｔ３と同様の処理が実施されるので、ここでは説明を繰返さない。
【００４０】
ＣＰＵ１１は、ガスバーナ６１に燃料を供給する（ステップＳ３）。ステップＳ３では、図３に示した時刻Ｔ４〜Ｔ５と同様の処理が実施されるので、ここでは説明を繰返さない。
【００４１】
ＣＰＵ１１は、点火開始（時刻Ｔ３）から第１時間内（ステップＳ７でＮＯ）、すなわち点火が実施されている時間内において、ガスバーナ６１が燃焼しているか否かの判断（ステップＳ５）を繰返す。具体的には、時刻Ｔ３から第１時間内は点火プラグに放電電圧を印加したまま、ＣＰＵ１１は、検知部７０の出力電圧と着火閾値ＴＨとを比較し、比較の結果に基づき燃焼しているか否かを判断する（ステップＳ５）。
【００４２】
第１時間内に（出力電圧＞着火閾値ＴＨ）の条件が成立したと判断すると（ステップＳ５でＹＥＳ）、すなわちガスバーナ６１が燃焼したと判断すると、着火の処理は終了し、上述の燃焼運転に移行する。
【００４３】
一方、第１時間以内に当該条件が成立せずガスバーナ６１が燃焼しなかったと判断したとき（ステップＳ５でＮＯ、ステップＳ７でＹＥＳ）、一旦、点火を停止する（ステップＳ９）。具体的には、ＣＰＵ１１は、比例弁２５および電磁弁４５を、ガスバーナ６１に燃料ガスを供給するための開度に制御したまま、一旦（１秒間）、点火を停止する。これにより、ガスバーナ６１から混合ガスが放出された状態で一旦、点火が停止する。
【００４４】
その後、ＣＰＵ１１は、ガスバーナ６１に再点火するように点火部７７を制御する（ステップＳ１１）。具体的には、ＣＰＵ１１は、点火プラグに放電電圧を印加するように点火部７７を制御する。
【００４５】
その後、ＣＰＵ１１は検知部７０の出力電圧に基づき、ガスバーナ６１が燃焼しているか否かを判断する（ステップＳ１３）。ステップＳ１３の処理は、ステップＳ５で述べたものと同様であるので、説明は繰返さない。
【００４６】
ＣＰＵ１１は、ガスバーナ６１が燃焼していると判断すると（ステップＳ１３でＹＥＳ）、点火の処理は終了し、上述の燃焼運転に移行するが、燃焼していると判断しないときは（ステップＳ１３でＮＯ）、処理はステップＳ１５に移行する。
【００４７】
ＣＰＵ１１は、タイマ１７の出力に基づき、最初の点火（時刻Ｔ３）から第２時間が経過したか否かを判断（ステップＳ１３）しながら、以降の、再点火の処理を実施する。なお、本実施の形態では、第２時間は３０秒以上としているが、第２時間の３０秒以上は例示であって、上述の第１時間よりも長い時間であればよく、特に限定されない。
【００４８】
再点火の処理において、ＣＰＵ１１は、検知部７０の出力電圧に基づき、第２時間内に（出力電圧＞着火閾値ＴＨ）の条件が成立すると判断すると（ステップＳ１３でＹＥＳ）、すなわちステップＳ１１の再点火により、ガスバーナ６１が燃焼したと判断すると、点火の処理は終了し、上述の燃焼運転に移行する。
【００４９】
一方、第２時間以内において、上記の（出力電圧＞着火閾値ＴＨ）の条件が成立しない、すなわちガスバーナ６１が燃焼しなかったと判断されるときは（ステップＳ１３でＮＯ、ステップＳ１５でＮＯ）、ＣＰＵ１１は、直前の再点火（ステップＳ１１）から一定時間（１０秒）が経過したか否かを判断する（ステップＳ１７）。一定時間が経過していないと判断されると（ステップＳ１７でＮＯ）、処理はステップＳ１３に戻り、以降の処理が上述と同様に繰返される。
【００５０】
一方、ＣＰＵ１１は、直前の再点火（ステップＳ１１）から一定時間（１０秒）が経過したと判断すると（ステップＳ１７でＹＥＳ）、処理はステップＳ９に戻り、ガスバーナ６１から混合ガスが放出された状態で、ＣＰＵ１１は一旦（１秒）、点火を停止する（ステップＳ９）。その後、ＣＰＵ１１は、ガスバーナ６１に再点火するように点火部７７を制御する（ステップＳ１１）。その後は、ステップＳ１３以降の処理が上述と同様に繰返される。
【００５１】
このように、最初（時刻Ｔ３）の点火で燃焼が検知されないときは、図５で模式的に示されるように、最初の点火から第２時間内において、１回または複数回の再点火処理（点火の停止および再点火）が実施される。なお、複数回の再点火処理の実施は、図４のステップＳ９〜Ｓ１７のループ処理に相当する。
【００５２】
また、上記の第２時間内における再点火によっても、ガスバーナ６１の燃焼が検知されなかったときは（ステップＳ１５でＹＥＳ）、ＣＰＵ１１は、比例弁２５および電磁弁４５を、ガスバーナ６１への燃料ガスの供給を停止するように全閉状態に制御する（ステップＳ１９）。
【００５３】
その後、ＣＰＵ１１は、予め定められた安全動作を実施する（ステップＳ２１）。安全動作では、例えば、表示部１５にエラー情報が表示される。
【００５４】
なお、図５に示されるように、再点火する時間の長さは、第１時間（１０秒）と同じとしたが、同じ長さに限定されない。また、図５に示されるように、再点火処理を第２時間内で繰返すとしたが、時間ではなく予め定められたＮ回（Ｎ≧２）繰返すとしてもよい。
【００５５】
また、本実施の形態では、再点火処理が実施されるときに、ファンモータ６４を介して送風ファン６３を連続的に駆動したが、連続駆動に代えて、点火が一旦停止されるときにのみ送風ファン６３を駆動するとしてもよい。この場合であっても、異常放電で絶縁破壊された経路の空気を点火の停止時に入れ替えることができて、その後の再点火に成功する確率を高めることができる。
【００５６】
なお、上記に述べた実施の形態では、点火部７７の点火プラグには、可聴周波数域よりも高い高周波電圧が印加されるとしたが、印加電圧の周波数はこれに限定されない。例えば、印加電圧の周波数は１０〜２０Ｈｚであってもよく、電源同期型の周波数（５０Ｈｚまたは６０Ｈｚ）であってもよい。
【００５７】
（実施の形態の効果）
発明者らは、実施の形態の再点火処理によれば、点火プラグの電極ギャップ（正規の箇所）で放電現象が発生する可能性を高めることができるとの知見を得た。
【００５８】
具体的には、発明者らは、着火不良の理由で、市場返却品となった複数の燃焼装置で点火実験をしたところ、点火プラグの碍子表面と、点火プラグを取り付けているバーナ箱側板の間での異常放電現象を確認することができた。また、この実験から、異常放電現象は、点火動作を１０回から１００回繰り返して、１回発生するかどうかの低い頻度で再現することも確認した。しかし、点火開始時に異常放電現象が発生すると、放電周波数は２０ｋＨｚ以上と高いため、連続的に点火を実施すれば、前回の放電時に絶縁破壊された経路で再度、放電現象が生じ、点火不良のままとなる可能性が高いとの知見を得た。
【００５９】
これらの知見に基づき、発明者らは、実施の形態で説明したように、点火不良時には点火を停止した後に再点火する実験を行った。この実験によれば、点火不良時に点火を停止せず連続的に点火した場合に比べて、正規の箇所で放電現象を発生させる確率を高くすることができた。このような高い成功確率は、停止時間において異常放電で絶縁破壊された経路の空気が入れ替わったこと、また、異常放電現象の再現率は低いこと等に起因するものである。
【００６０】
このような実験から、本実施の形態によれば、再点火処理により、点火プラグの電極ギャップ（正規の箇所）で放電現象が発生する可能性を高めることができ、その結果、速やかに燃焼を開始させることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１０  マイコン、１２  メモリ部、１７  タイマ、２５  比例弁、４５  電磁弁、５０  ガスファンヒータ、６１  ガスバーナ、６２  燃焼室、６３  送風ファン、６４  ファンモータ、６５  風吹出口、６６  外装ケース、６７  空気吸入口、６８  エアーフィルタ、６９  室温検出器、７０  検知部、７４  天板、７５  底板、７７  点火部、７８  蓋板、７９  ファンケース、８０  回転数検出器、８１  ガス接続口、８４  ガス配管、８６  電源プラグ、ＴＨ  着火閾値。
【図１】
2017036891.tif 000003
【図２】
2017036891.tif 000004
【図３】
2017036891.tif 000005
【図４】
2017036891.tif 000006
【図５】
2017036891.tif 000007